(57)【要約】【目的】建設的に不便な貯水槽をイニシャルコストを安く、メンテナンスコストが掛からず、常時緑化状態にし、景観的にも見栄えが良いようにする【手段】貯水タンク本体５を継手２、或いは、接手２´　を介して相互に接合連結して複段のブロックの貯水槽６とし、貯水槽のブロックの貯水槽６には１本の支柱もなく、イベント会場や催し会場としての空間的利用に何等支障がないようにし、上部にフェンス８を一体的に構築し緑化状態９にする。【効果】敷地的に設置が容易であり、景観を損なわず、コスト的にも安くつく貯水槽とすることが出来、見栄えも良く、コスト的にも安くつき、上水や中水や下水としての充分に利用することも出来る【選択図】　　図１
2004084290.tif 000002
【特許請求の範囲】
【請求項１】
少なくとも一基の貯水タンク本体が表面緑化されている貯水槽において、該少なくとも一基の貯水タンク本体が構造物の連結体として用いられていることを特徴とする貯水槽。
【請求項２】
上記貯水タンク本体の少なくとも一部が表面緑化されていることを特徴とする請求項１記載の貯水槽。
【請求項３】
上記貯水槽には支柱が介在されていないことを特徴とする請求項１記載の貯水槽。
【請求項４】
上記貯水タンク本体がフェンスやガードレールや防音壁や中央分離帯等の構造物として利用されていることを特徴とする請求項１〜３記載の貯水槽。
【請求項５】
上記貯水タンク本体が道路に沿って集合住宅や工場等のビルの塀体として配設されていることを特徴とする請求項１記載の貯水槽。
【請求項６】
上記貯水タンクに対する灌水が毛細管によるものであるようにされていることを特徴とする請求項１記載の貯水槽。
【請求項７】
上記貯水タンクの貯水が別系からの貯水にされていることを特徴とする請求項１記載の貯水槽。
【請求項８】
上記貯水タンク本体に開閉扉が配設にされていることを特徴とする請求項１記載の貯水槽。
【発明の詳細な説明】
【０００１】
【産業上の利用分野】
開示技術は、貯水槽に緑化をするに際し、その植物栽培が全表面に行われるようにした技術分野に属する。
【０００２】
【従来の技術】
家屋の屋根構造等の面材の構造にあってはセダム等の植生マットを敷設する構造態様が多くなり、省資源的な発明をなしたドイツから全世界に広まっており、我が国に於ても近時緑化基準が改正され、全国的にかかる傾向は広がっていくものと思われ、流行の兆しが見られるが、我が国に於ける勾配屋根の薄層緑化等はコンクリート等による押えとは機構的に異なり、様々な問題がある。
【０００３】
【発明が解決しようとする課題】
それらの機構の形式としては、排水マット型や底面灌水型等があるが，例えば、ベンケイソウ科キリンソウ属のセダム等の植生マットを勾配屋根の表層部に防水シートを介してセットさせるようにしているが、該植生マットの基になる土層の表層に敷設する土壌や砂利が、台風等の際の豪雨や干天等の激しい日照等により飛散して、著しいダメージを受けることから、耐久性に乏しい欠点があり、これに対処するに頻繁なメンテナンスを必要とする難点があり、結果的にコスト高になるという不利点もあった。
【０００４】
又、かかる植生の基礎となる植生マットの土壌等の降雨による非定時的な流出等によっても、定期的に損傷を受け、常時維持する程の薄層緑化が図れないというデメリットがあった。
それらのシステムの形式としては、概して排水マット型や底面灌水型等があるが、例えば、セダム等を構造部の表層部に防水シートを介して植生させているが、該植生マットの基になる土層の表層に敷設する土壌や砂利が、台風等の際の豪雨や干天等の激しい日照等により飛散して、著しいダメージを受けることから、耐久性に乏しい欠点があり、これに対処するに、頻繁なメンテナンスを必要とする難点があり、結果的にコスト高になるという不利点もあった。又、従来の植生マットの施工については技術的に困難であるという難点もあった。
【０００５】
而して、植生の基礎となるセダムシートの降雨による非定時的な流出等によっても、定期的に損傷を受け、常時的に維持し続ける程の表面緑化が図れないというデメリットがあった。
【０００６】
これに対処するに、玉砂利と土を固めて金網状のものを敷設する植生システムが開発されてはいるが、機能的に充分とは言えない不具合があり、且つ、従来の植生マットは上述の通り施工が困難であった。
【０００７】
かかる問題点は、群設する貯水槽にあっても同様であった。
【０００８】
これに対処するに、玉砂利と土を固めて金網状のものを敷設する植生システムも開発されてはいるが、充分とは言えない不具合があった。且つ、従来の植生マットは施工が困難であるという難点あった。
【０００９】
而して、構造物の一つとして貯水槽があり、該貯水槽に対しても薄層緑化の傾向がある。
【００１０】
【発明の目的】
この出願の発明の目的は上述従来技術に基づく群設する貯水槽の建造物としての薄層緑化の植生を確実に図ると共に、土壌の流出や、水の蒸散が少なくて済み、施工が容易で耐久性が良く、設計通りの薄層緑化が貯水槽に対しても確実に維持出来るようにし、建築産業に於ける緑化技術利用分野に益する優れた貯水槽を提供せんとするものである。
【００１１】
【発明が解決しようとする手段】
上述目的に沿い先述特許請求の範囲を要旨とするこの発明の構成は、前述課題を解決するために、少なくとも一基の貯水タンク本体が表面緑化されている貯水槽において、該少なくとも一基の貯水タンク本体が構造物の連結体として用いられているようにしたことを基幹とし、而して、上記貯水タンク本体の少なくとも一部が表面緑化されているようにし、加えて、上記貯水槽には支柱が１本も介在されていないようにし、又、上記貯水タンク本体がフェンスやガードレールや防音壁や中央分離帯等の構造物として利用されているようにし、更に又、上記貯水タンク本体が道路に沿って配設されて工場や集合住宅のビルのガードレールや中央分離体とされているようにもし、加えて、上記貯水タンクに対する灌水が毛細管によるものであるようにされているようにし、更に加えて、上記貯水タンクの貯水が別系からの貯水によってされているようにした技術的手段を講じたものである。
【００１２】
【作用】
而して、上述構成において、都市部、又、その都市近郊部で雨水や中水等の貯水槽を設置するに際し、それらの少なくとも一基の貯水槽タンク本体が構造物の複数段の連結体として継手や実やほぞ等の接手の凹凸嵌合を介して用いられるようにし、その際、当該貯水槽はそのブロックにおいて、支柱が１本もなく、展示場やイベント会場等の空間利用での実施に支障がないようにし、又、貯水タンクが道路に沿って、建造される工場や集合住宅等のビルの塀体としてガードレールや中央分離帯にされているようにし、更に、貯水タンクの上部にはフェンスが付設されて、外観の見栄えが良いようにし、又、貯水タンクに対する灌水が近辺に在る池や河川湖沼等からの給水によってされているようにし、更に、貯水タンクに対する灌水の給水等が毛細管によって行われるようにしたものである。
【００１３】
【発明が実施しようとする形態】
次にこの出願の発明の実施しようとする形態を実施例の態様として図面に基づいて説明すれば以下の通りである。
【００１４】
図１に示す実施形態の態様において、１は構造物としての邸宅であり、その側部には門柱３がその底部に栗石を敷設して、一体的に設けられており、該門柱３の列に同一塀体として貯水タンク本体５，５が横方向、或いは、縦方向にこられのフレームに対する通常の継手２や通常の大工工事に用いる実やほぞの凹凸嵌合の接手２´　を介して相互に連結接合されて所定段、複数段の大サイズのブロック体の貯水槽６を形成し、雨水を貯水されており、そのサイズは所定の構造物の塀体を成して、催し会場やイベント会場に出来るようにされており、その空間がその会場にとって、障害とならないように支柱は１本も設けられていないものである。
【００１５】
そして、それらの貯水槽タンク本体５の表面の全てには図３に示す様に、セダムシート等の植生マット７がベタ打ち的にライニングされているか、又は、ポケットプランター７´　等を所定に吊り下げて引っ掛けて設けられているものであり、貯水槽６の全表面を所定に緑化することが出来るようにされている。
【００１６】
而して、当該植生マット７、ポケットプランター７´　等には土地改良剤，保水剤，肥料，土壌菌，炭素物が混入されるようにされている。
【００１７】
尚、該土地改良剤，保水剤，肥料，土壌菌，及び炭素化合物からなる粒子の、これらの層の体積当りの含有量は最上層の含有量に対し５０％以下が好ましく、２０％以下がさらに好ましく、１０％以下がより好ましい。
【００１８】
この出願の発明の植生マット７，ポケットプランター７´　に含まれるものとしての好ましい条件としてはピートモス，バーライト，バーミキュライト，珪藻土組成物，バーク，パーライト，ゼオライト，ロックウール，スポンジ，ヤシ殻，クリプトモス，日高砂等の軽石類，古紙成分，植物質天然有機物（ピートモス鋸屑，籾殻，バガス，間伐採），水苔粉末，ヤシ髄粉末，パルプ繊維，種子リンター，層状粘土鉱物，多孔質鉱物，沸石類（ゼオライト），モンモリロナイト系の粘土系鉱物，多孔質鉱物（シリカ，アルミナ，ウィスカー等の結晶性化合物，珪藻土のような堆積物）のもので５ｍｍ以下のもの，ポリエチレンオキサイド，ポリウレタン，酢酸ビニル，アクリル樹脂やこれらの共重合体，特開平１０−１９１７７７，１２８１０８１，９４７２９号公報等に記載のポリマー，コーヒー滓，樹脂コーティング肥料，水難溶性肥料，粒状の有機肥料（万里（商品名）），菌根菌類，窒素固定細菌，ＶＡ菌根菌，アゾ菌類，アゾスピルラム菌（Ｄｒ．キンコン（商品名）），フランキア菌，マメ科根粒菌，ブリオ種，セダム類，ハーブ，蘚苔類，挿し木，球根，地下茎，葉挿し，木炭，活性炭，石，れき，コンクリート等であり、繊維粗材は綿，麻，セルロース，ジュート、毛，絹等の天然繊維，カーボン繊維，アセテート，レーヨン等の再生繊維，ポリエステル，ポリアミド（ナイロン），アクリル等の合成繊維である。
【００１９】
そして、該合成繊維としては綿，麻，セルロース，ジュート，毛，絹等の天然繊維，合成繊維のカーボン繊維，アセテート，レーヨン等の再生繊維がより好ましく、綿，麻，セルロース，ジュート，レーヨン，アセテートがさらに好ましく、綿，麻，セルロース，ジュートが特に好ましく、剛性の強い層にはジュートを含有するのが更に好ましい。
【００２０】
又、出願の発明の植生マットやポケットプランター７´　の好ましい土壌改良剤は上記の如くピートモス，バーライト，バーミキュライト，珪藻土組成物，バーク，パーライト，ゼオライト，ロックウール，スポンジ，ヤシ殻，クリプトモス，日高砂等の軽石類であるが，その添加量は植生マットの重量に対し０．１〜１０％が好ましく、０．５〜５％がより好ましい。
【００２１】
そして、この出願の発明の植生マット７やポケットプランター７´　の好ましい保水剤は上記の如くケイ酸化合物古紙成分，植物質天然有機物（ピートモス鋸屑，籾殻，バガス，間伐採），水苔粉末，ヤシ髄粉末，パルプ繊維，種子リンター，層状粘土鉱物，多孔質鉱物，沸石類（ゼオライト），モンモリロナイト系の粘土系鉱物，多孔質鉱物（シリカ，アルミナ，ウィスカー等の結晶性化合物，珪藻土のような堆積物）でその粒径は５ｍｍ以下であることが好ましく，ポリエチレンオキサイド，ポリウレタン，酢酸ビニル，アクリル樹脂やこれらの共重合体，特開平１０−１９１７７７，１２８１０８１，９４７２９号公報記載のポリマーＢであり、その粒子サイズは０．０００１〜１５ｍｍが好ましく、０．００１〜３ｍｍが好ましい。その添加量は植生マットの重量に対し０．１〜１０％好ましく、０．５〜５％がより好ましい。
【００２２】
更に、この出願の発明の植生マット７やポケットプランター７´　に含有される好ましい肥料も上記の如くコーヒー滓，樹脂コーティング肥料，水難溶性肥料，粒状の有機肥料（万里（商品名））であるが、その添加量は植生マットの重量に対し０．１〜１０％が好ましく、０．５〜５％がより好ましい。
【００２３】
更に、この出願の発明の植生マット７やポケットプランター７´　に含有される好ましい土壌菌も上記の如く菌根菌類，窒素固定細菌，ＶＡ菌根菌，アゾ菌類，アゾスピルラム菌（Ｄｒ．キンコン（商品名）），フランキア菌，マメ科根粒菌，ブリオ種であるが、その添加量は植生マット７の重量に対し０．１〜１０％が好ましく、０．５〜５％がより好ましい。
【００２４】
そして、この出願の発明の植生マット７やポケットプランター７´　に含有される好ましい炭素化合物からなる粒子も上記した如く木炭，活性炭，黒鉛，非黒鉛炭素材料であり、その添加量は植生マット７の重量に対し０．１〜１０％が好ましく、０．５〜５％がより好ましいく、そして、その粒子サイズは０．０１〜５０μｍが好ましく、０．１〜１５μｍがより好ましい。又、比表面積は０．１〜３００ｍ２　／ｇが好ましく、１〜３０ｍ２　／ｇがより好ましい。この出願の発明に用いる植物はセダム類，ハーブ類，蘚苔類が好ましいが、セダム類が特に好ましい。
【００２５】
植物は２種類以上混在させるのが好ましいものであり、３種類がより好ましく、５種類以上が特に好ましい。そして、混在させる場合は、高温に強いものと低温に強いもの，乾燥に強いものと高温に強いもの，セダム類一種でも複数の品種を組み合わせるのが好ましい。好ましい組み合わせ例としてはセダム類とハーブ類と蘚苔類があるが、特に好ましい組み合わせはセダムアルバム，ナガサマンネングサ，セダムスプリューム，タイトゴメ，メキシコマンネングサ，セダム類だけの組合わせである。
【００２６】
この出願の発明で用いる植生マット７の下側に施設する排水シートは繊維層に限らず、合成樹脂製のコイル状のものでも良い。
【００２７】
そして、この出願の発明の植生マット７に対して押え体として用いる重量物は砂利，金属等が好ましく、その比重は１．３以上、より好ましくは１．５以上である。
【００２８】
又、貯水槽６の最上段の貯水タンク本体５の上に表面にはフェンス８が敷設されて、上記緑化に一体のつたやかずら等の植生９が図られているものである。
【００２９】
尚、８´　は該フェンス８の補強のため、前もって、予め植立された支柱である。
【００３０】
又、併せて、当該塀体の上部には雨樋１０が形成されて下向きに灌水パイプ１１が延在しており、その途中にはポンプ１２や洗車ノズル１３が配設されている。
【００３１】
又、当該灌水パイプ１１の上部には図３に示す様に塀体所定部位に設けられたスプリンクラー１４等が設けられてもいる。
【００３２】
又、当該各貯水タンク５に対する貯水は図２に示す様に、貯水槽６の近傍に在る溜め池や運河等の貯水１３を給水ポンプ１２´　や通路１１´　を介して貯水することも出来る。
【００３３】
そして、図１に於て１６´　は貯水タンク本体５の側面に設けられた開閉扉であり、作業やメンテナンスの都合によりコントローラー１６により所定に自動的に開閉されるものである。
【００３４】
雨水等を直接的に樋１０とパイプ１１を介して貯水することも出来るものである。
【００３５】
又、その際、緑化植物に対しポケットプランター７´　等に対する灌水補給等は灌水通路１１´´を介し、その際、ポンプ１２，１２´　は適宜に循環補給するコントローラー１６を介し適宜に制御するようにすることも可能である。
【００３６】
このように貯水槽６の貯水を図２に示す様に、系外からの貯水１３からすることが出来るものである。
【００３７】
そして当該貯水槽６は道路沿い邸宅等の塀体に沿って構造物の工場や集合住宅等のビルの面体のガードレールや中央分離帯として利用することが出来るものである。
【００３８】
そして、貯水タンク本体５，５相互の灌水の連通補給は植生マット７に対する毛細管によって行うことも出来るようにされているものである。
【００３９】
以上の様にすることにより、貯水タンク本体５のセダムシート等の植生マット７に植生する植物に対する灌水補給は常時行われて水分や湿気を適宜に帯びた状態に保つことが出来るものである。
【００４０】
又、その植物成長は経時的に保持されるものである。
【００４１】
当該各貯水槽６の各貯水タンク本体５の貯水中に適宜に栄養剤１６´´等を供給して成長を促進させるようにすることも出来ることも勿論のことである。
【００４２】
尚、又、当該各貯水タンク５の貯水中には活性炭やニューセラミック等の浄化剤１５を挿入してカビや藻等の発生を防止し、緑化植物の成長のみを図るようにすることも可能である。
【００４３】
又、ポンプ１２や洗車ノズル１３やスプリンクラー１４や適宜の風力利用施設に対する動力エネルギーは邸宅１等の構造物としての屋根２にも設けられるソーラーパネルにより太陽エネルギーを集めてこれを適当なコントローラーを介し、所定に制御するようにする等種々の態様が採用可能である。
【００４４】
尚、この出願の発明の実施態様は上述実施形態に限るものでないことは勿論であり、例えば、他の種々の実施形態が採用可能である。
【００４５】
【発明の効果】
以上、この出願の発明によれば、基本的に都市部や都市近郊部に配設される貯水槽において、敷地が容易に確保されれば、イニシャルコストは安く、又、ランニングコストやメンテナンスコストも安くして、しかも景観を損なうことなく、雨水等を利用して全表面に対する緑化の状態が保たれるという優れた効果が奏される。
【００４６】
そして、貯水槽が少なくともその一部が表面緑化されるために群設する貯水槽の景観が良く外観的にも見栄えが良くなるという効果がある。
【００４７】
又、群設する貯水槽が雨水を貯水するようにされるために給水状態が良く、中水等の利用が自由に行われるという効果がある。
【００４８】
又、貯水槽には支柱が１本も介在されていないことにより催し物会場やイベント会場等としても空間のフル利用が図られるという効果がある。
【００４９】
又、貯水槽が道路等に沿って一種のフェンスやガードレールや中央分離体等の塀体として配設されるようにすることにより家屋等の構造物と一体化出来、景観を損なうことがなく、又、構造体としても充分機能することが出来るという優れた効果が奏される。
【００５０】
貯水槽の全表面を緑化を図りながら、当該緑化の植物の成長に必要とする灌水を毛細管等によって行うようにすることより、植生マットが常に灌水状態にされて、充分な水分や湿気をおび、不断の成長を図ることが出来るという優れた効果が奏される。
【００５１】
又、当該緑化の成長や日照り等の為に、干ばつが生じて貯水槽の貯水が渇水状態になるような恐れがある場合には、当該貯水槽の近傍の池や運河や湖沼や河川等の貯水を利用して貯水槽の水とすることにより、絶えず貯水が図れるという優れた効果が奏される。
【００５２】
又、構造物は邸宅とは限らず、マンション等の集合ビル等や工場や病院等のビル等においても適用することが可能である。
【図面の簡単な説明】
【図１】この出願の発明の１実施形態の概略側面図である。
【図２】雨水や貯水の別系からの貯水利用の概略図である。
【図３】貯水タンク本体の灌水状態の概略側面図である。
【符号の説明】
５　　　貯水タンク本体
６　　　貯水槽
１　　　構造物
８　　　フェンス
１５　　浄化剤
１６´　　開閉扉
【図１】
2004084290.tif 000003
【図２】
2004084290.tif 000004
【図３】
2004084290.tif 000005
【手続補正書】
【提出日】平成14年9月5日(2002.9.5)
【手続補正１】
【補正対象書類名】図面
【補正対象項目名】全図
【補正方法】変更
【補正の内容】
【図１】
2004084290.tif 000006
【図２】
2004084290.tif 000007
【図３】
2004084290.tif 000008